(57)【要約】【課題】プラズマディスプレイ装置の表示品位を向上させることを目的とする。【解決手段】放電空間を形成して対向する一対の基板上に複数の電極を設けることにより構成された複数の放電セルを有するプラズマディスプレイパネル１３と、このプラズマディスプレイパネル１３に映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネル１３を表示駆動させるための表示駆動回路とを備え、前記表示駆動回路に前記プラズマディスプレイパネル１３の温度を検出するパネル温度検出部２３を設け、かつそのパネル温度検出部２３からの温度情報に応じて書き込みパルスの周期を変化させるように構成した。【選択図】　図１
2004061702.tif 000002
【特許請求の範囲】
【請求項１】
放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に前記プラズマディスプレイパネルの温度を検出するパネル温度検出部を設け、かつそのパネル温度検出部からの温度情報に応じて書き込みパルスの周期を変化させるように構成したことを特徴とするプラズマディスプレイ装置。
【請求項２】
放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に映像信号によってパネル温度の予測を行うことが可能な映像信号温度予測部を設け、かつその映像信号温度予測部からの温度情報に応じて書き込みパルスの周期を変化させるように構成したことを特徴とするプラズマディスプレイ装置。
【請求項３】
放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に前記プラズマディスプレイパネルの温度を検出するパネル温度検出部と映像信号によってパネル温度の予測を行うことが可能な映像信号温度予測部とを設け、かつそのパネル温度検出部と映像信号温度予測部からの温度情報に応じて書き込みパルスの周期を変化させるように構成したことを特徴とするプラズマディスプレイ装置。
【請求項４】
温度情報に応じて書き込みパルスの周期を１μｓ〜５μｓ変化させるように制御するものである請求項１〜３のいずれかに記載のプラズマディスプレイ装置。
【請求項５】
温度が２０℃〜３０℃の常温より下降した場合に書き込みパルスの周期を長くするように制御するものである請求項１〜３のいずれかに記載のプラズマディスプレイ装置。
【請求項６】
温度が２０℃〜３０℃の常温より上昇した場合に書き込みパルスの周期を短くするように制御するものである請求項１〜３のいずれかに記載のプラズマディスプレイ装置。
【発明の詳細な説明】
【０００１】
【発明の属する技術分野】
本発明は、大画面で、薄型、軽量のディスプレイ装置として知られているプラズマディスプレイ装置に関するものである。
【０００２】
【従来の技術】
まず、プラズマディスプレイ装置におけるプラズマディスプレイパネルの構造について図８を用いて説明する。図８に示すように、ガラス基板などの透明な前面側の基板１上には、走査電極２と維持電極３とで対をなすストライプ状の表示電極が複数列形成され、そしてその電極群を覆うように誘電体層４が形成され、その誘電体層４上には保護膜５が形成されている。
【０００３】
また、前記前面側の基板１に対向配置される背面側のガラス基板からなる基板６上には、走査電極２及び維持電極３の表示電極と交差するように、絶縁体層７で覆われた複数列のストライプ状のアドレス電極８が形成されている。このアドレス電極８間の絶縁体層７上には、アドレス電極８と平行に複数の隔壁９が配置され、この隔壁９間の側面及び絶縁体層７の表面に蛍光体層１０が設けられている。
【０００４】
これらの基板１と基板６とは、走査電極２及び維持電極３の表示電極とアドレス電極８とがほぼ直交するように、微小な放電空間を挟んで対向配置されるとともに、周囲が封止され、そして前記放電空間には、ヘリウム、ネオン、アルゴン、キセノンのうちの一種または混合ガスが放電ガスとして封入されている。また、放電空間は、隔壁９によって複数の区画に仕切ることにより、表示電極とアドレス電極８との交点が位置する複数の放電セルが設けられ、その各放電セルには、赤色、緑色及び青色となるように蛍光体層１０が一色ずつ順次配置されている。
【０００５】
次に、このパネルの電極配列図を図９に示す。図９に示すように、このパネルの電極配列はｍ×ｎのマトリックス構成であり、列方向にはｍ列のデータ電極Ｄ１〜Ｄｍが配列されており、行方向にはｎ行の走査電極ＳＣＮ１〜ＳＣＮｎ及び維持電極ＳＵＳ１〜ＳＵＳｎが配列されている。また、図８に示した放電セルは図９に示すように構成されている。
【０００６】
図１０に、従来のプラズマディスプレイ装置の表示駆動回路の構成を示している。図１０に示すように、図８に示す構成のプラズマディスプレイパネル（ＰＤＰ）１３、アドレスドライバ回路１４、スキャンドライバ回路１５、サステインドライバ回路１６、放電制御タイミング発生回路１７、電源回路１８、１９、Ａ／Ｄコンバータ（アナログ・デジタル変換器）２０、走査数変換部２１、及びサブフィールド変換部２２を備えている。
【０００７】
図１０の回路において、まず、映像信号ＶＤは、Ａ／Ｄコンバータ２０に入力される。また、水平同期信号Ｈ及び垂直同期信号Ｖは放電制御タイミング発生回路１７、Ａ／Ｄコンバータ２０、走査数変換部２１、サブフィールド変換部２２に与えられる。Ａ／Ｄコンバータ２０は、映像信号ＶＤをデジタル信号に変換し、その画像データを走査数変換部２１に与える。
【０００８】
走査数変換部２１は、画像データをＰＤＰ１３の画素数に応じたライン数の画像データに変換し、各ラインの画像データをサブフィールド変換部２２に与える。サブフィールド変換部２２は、各ラインの画像データの各画素データを複数のサブフィールドに対応する複数のビットに分割し、各サブフィールドに各画素データの各ビットをアドレスドライバ回路１４にシリアルに出力する。アドレスドライバ回路１４は、電源回路１８に接続されており、サブフィールド変換部２２から各サブフィールドにシリアルに与えられるデータをパラレルデータに変換し、そのパラレルデータに基づいて複数のアドレス電極に電圧を供給する。
【０００９】
放電制御タイミング発生回路１７は、水平同期信号Ｈ及び垂直同期信号Ｖを基準として、放電制御タイミング信号ＳＣ、ＳＵを発生し、各々スキャンドライバ回路１５及びサステインドライバ回路１６に与える。スキャンドライバ回路１５は、出力回路１５１及びシフトレジスタ１５２を有する。また、サステインドライバ回路１６は、出力回路１６１及びシフトレジスタ１６２を有する。これらのスキャンドライバ回路１５及びサステインドライバ回路１６は共通の電源回路１９に接続されている。
【００１０】
スキャンドライバ回路１５のシフトレジスタ１５２は、放電制御タイミング発生回路１７から与えられる放電制御タイミング信号ＳＣを垂直走査方向にシフトしつつ出力回路１５１に与える。出力回路１５１は、シフトレジスタ１５２から与えられる放電制御タイミング信号ＳＣに応答して複数のスキャン電極に順に駆動信号電圧を供給する。
【００１１】
サステインドライバ回路１６のシフトレジスタ１６２は、放電制御タイミング発生回路１７から与えられる放電制御タイミング信号ＳＵを垂直走査方向にシフトしつつ出力回路１６１に与える。出力回路１６１は、シフトレジスタ１６２から与えられる放電制御タイミング信号ＳＵに応答して複数のサステイン電極に順に駆動信号電圧を供給する。
【００１２】
このパネルを駆動するための従来の駆動方法の動作駆動タイミング図を図１１に示す。この駆動方法は２５６階調の階調表示を行うためのものであり、１フィールド期間を８個のサブフィールドで構成している。以下、従来のパネルの駆動方法について図８〜図１１を用いて説明する。
【００１３】
図１１に示すように、第１ないし第８のサブフィールドはそれぞれ初期化期間、書き込み期間、維持期間及び消去期間から構成されている。まず、第１のサブフィールドにおける動作について説明する。
【００１４】
図１１に示すように、初期化期間の前半の初期化動作において、全てのデータ電極Ｄ１〜Ｄｍ及び全ての維持電極ＳＵＳ１〜ＳＵＳｎを０（Ｖ）に保持し、全ての走査電極ＳＣＮ１〜ＳＣＮｎには、全ての維持電極ＳＵＳ１〜ＳＵＳｎに対して放電開始電圧以下となる電圧Ｖｐ（Ｖ）から、放電開始電圧を越える電圧Ｖｒ（Ｖ）に向かって緩やかに上昇するランプ電圧を印加する。このランプ電圧が上昇する間に、全ての放電セルにおいて、全ての走査電極ＳＣＮ１〜ＳＣＮｎから全てのデータ電極Ｄ１〜Ｄｍ及び全ての維持電極ＳＵＳ１〜ＳＵＳｎにそれぞれ一回目の微弱な初期化放電が起こり、走査電極ＳＣＮ１〜ＳＣＮｎ上の保護膜３の表面に負の壁電圧が蓄積されるとともに、データ電極Ｄ１〜Ｄｍ上の絶縁体層７の表面及び維持電極ＳＵＳ１〜ＳＵＳｎ上の保護膜３の表面には正の壁電圧が蓄積される。
【００１５】
さらに、初期化期間の後半の初期化動作において、全ての維持電極ＳＵＳ１〜ＳＵＳｎを正電圧Ｖｈ（Ｖ）に保ち、全ての走査電極ＳＣＮ１〜ＳＣＮｎには、全ての維持電極ＳＵＳ１〜ＳＵＳｎに対して放電開始電圧以下となる電圧Ｖｑ（Ｖ）から放電開始電圧を越える０（Ｖ）に向かって緩やかに下降するランプ電圧を印加する。このランプ電圧が下降する間に、再び全ての放電セルにおいて、全ての維持電極ＳＵＳ１〜ＳＵＳｎから全ての走査電極ＳＣＮ１〜ＳＣＮｎにそれぞれ二回目の微弱な初期化放電が起こり、走査電極ＳＣＮ１〜ＳＣＮｎ上の保護膜３表面の負の壁電圧及び維持電極ＳＵＳ１〜ＳＵＳｎ上の保護膜３表面の正の壁電圧が弱められる。一方、データ電極Ｄ１〜Ｄｍ上の絶縁体層７の表面の正の壁電圧はそのまま保たれる。以上により初期化期間の初期化動作が終了する。
【００１６】
次の書き込み期間の書き込み動作において、全ての走査電極ＳＣＮ１〜ＳＣＮｎをＶｓ（Ｖ）に保持し、データ電極Ｄ１〜Ｄｍのうち、第一行目に表示すべき放電セルに対応する所定のデータ電極に正の書き込みパルス電圧＋Ｖｗ（Ｖ）を、第一行目の走査電極ＳＣＮ１に走査パルス電圧０（Ｖ）をそれぞれ印加する。このとき、所定のデータ電極と走査電極ＳＣＮ１との交差部における絶縁体層７の表面と走査電極ＳＣＮ１上の保護膜３の表面との間の電圧は、書き込みパルス電圧＋Ｖｗ（Ｖ）にデータ電極Ｄ１〜Ｄｍ上の絶縁体層７の表面の正の壁電圧が加算されたものとなるため、この交差部において、所定のデータ電極と走査電極ＳＣＮ１との間及び維持電極ＳＵＳ１と走査電極ＳＣＮ１との間に書き込み放電が起こり、この交差部の走査電極ＳＣＮ１上の保護膜３表面に正電圧が蓄積され、維持電極ＳＵＳ１上の保護膜３表面に負電圧が蓄積され、書き込み放電が起こったデータ電極上の絶縁体層７の表面に負電圧が蓄積される。
【００１７】
次に、データ電極Ｄ１〜Ｄｍのうち、第二行目に表示すべき放電セルに対応する所定のデータ電極に正の書き込みパルス電圧＋Ｖｗ（Ｖ）を、第二行目の走査電極ＳＣＮ２に走査パルス電圧０（Ｖ）をそれぞれ印加する。このとき、所定のデータ電極と走査電極ＳＣＮ２との交差部における絶縁体層７の表面と走査電極ＳＣＮ２上の保護膜３の表面との間の電圧は、書き込みパルス電圧＋Ｖｗ（Ｖ）に所定のデータ電極上の絶縁体層７の表面の正の壁電圧が加算されたものとなるため、この交差部において、所定のデータ電極と走査電極ＳＣＮ２との間及び維持電極ＳＵＳ２と走査電極ＳＣＮ２との間に書き込み放電が起こり、この交差部の走査電極ＳＣＮ２上の保護膜３表面に正電圧が蓄積され、維持電極ＳＵＳ２上の保護膜３表面に負電圧が蓄積される。
【００１８】
同様な動作が引き続いて行われ、最後に、データ電極Ｄ１〜Ｄｍのうち、第ｎ行目に表示すべき放電セルに対応する所定のデータ電極に正の書き込みパルス電圧＋Ｖｗ（Ｖ）を、第ｎ行目の走査電極ＳＣＮｎに走査パルス電圧０（Ｖ）をそれぞれ印加する。このとき、所定のデータ電極と走査電極ＳＣＮｎとの交差部において、所定のデータ電極と走査電極ＳＣＮｎとの間及び維持電極ＳＵＳｎと走査電極ＳＣＮｎとの間に書き込み放電が起こり、この交差部の走査電極ＳＣＮｎ上の保護膜３表面に正電圧が蓄積され、維持電極ＳＵＳｎ上の保護膜３表面に負電圧が蓄積され、書き込み放電が起こったデータ電極上の絶縁体層７の表面に負電圧が蓄積される。以上により書き込み期間における書き込み動作が終了する。
【００１９】
続く維持期間において、先ず、全ての走査電極ＳＣＮ１〜ＳＣＮｎ及び維持電極ＳＵＳ１〜ＳＵＳｎを０（Ｖ）に一旦戻した後、全ての走査電極群ＳＣＮ１〜ＳＣＮｎに正の維持パルス電圧＋Ｖｍ（Ｖ）を印加すると、書き込み放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、書き込み期間において蓄積された走査電極ＳＣＮ１〜ＳＣＮｎ上の保護膜３表面の正電圧及び維持電極ＳＵＳ１〜ＳＵＳｎ上の保護膜３表面の負電圧が加算されたものとなる。このため、書き込み放電を起こした放電セルにおいて、走査電極ＳＣＮ１〜ＳＣＮｎと維持電極ＳＵＳ１〜ＳＵＳｎとの間に維持放電が起こり、この維持放電を起こした放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。
【００２０】
続いて、全ての維持電極ＳＵＳ１〜ＳＵＳｎに正の維持パルス電圧＋Ｖｍ（Ｖ）を印加すると、維持放電を起こした放電セル１２における維持電極ＳＵＳ１〜ＳＵＳｎ上の保護膜３と走査電極ＳＣＮ１〜ＳＣＮｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の負電圧及び維持電極ＳＵＳ１〜ＳＵＳｎ上の保護膜３表面の正電圧が加算されたものとなる。このため、この維持放電を起こした放電セルにおいて、維持電極ＳＵＳ１〜ＳＵＳｎと走査電極ＳＣＮ１〜ＳＣＮｎとの間に維持放電が起こることにより、その放電セルにおける維持電極ＳＵＳ１〜ＳＵＳｎ上の保護膜３表面に負電圧が蓄積され、走査電極ＳＣＮ１〜ＳＣＮｎ上の保護膜３表面に正電圧が蓄積される。その後、前記維持パルス電圧は０（Ｖ）に戻る。
【００２１】
以降同様に、全ての走査電極ＳＣＮ１〜ＳＣＮｎと全ての維持電極ＳＵＳ１〜ＳＵＳｎとに正の維持パルス電圧＋Ｖｍ（Ｖ）を交互に印加することにより、維持放電が継続して行われ、維持期間の最終において、全ての走査電極ＳＣＮ１〜ＳＣＮｎに正の維持パルス電圧＋Ｖｍ（Ｖ）を印加すると、維持放電を起こした放電セル１２における走査電極ＳＣＮ１〜ＳＣＮｎ上の保護膜３と維持電極ＳＵＳ１〜ＳＵＳｎ上の保護膜３との間の電圧は、維持パルス電圧＋Ｖｍ（Ｖ）に、直前の維持放電によって蓄積された走査電極ＳＣＮ１〜ＳＣＮｎ上の保護膜３表面の正電圧と維持電極ＳＵＳ１〜ＳＵＳｎ上の保護膜３表面の負電圧が加算されたものとなる。このため、この維持放電を起こした放電セルにおいて、走査電極ＳＣＮ１〜ＳＣＮｎと維持電極ＳＵＳ１〜ＳＵＳｎとの間に維持放電が起こることにより、その放電セルにおける走査電極ＳＣＮ１〜ＳＣＮｎ上の保護膜３表面に負電圧が蓄積され、維持電極ＳＵＳ１〜ＳＵＳｎ上の保護膜３表面に正電圧が蓄積される。その後、維持パルス電圧は０（Ｖ）に戻る。以上により維持期間の維持動作が終了する。この維持放電により発生する紫外線で励起された蛍光体１０からの可視発光を表示に用いている。
【００２２】
続く消去期間において、全ての維持電極ＳＵＳ１〜ＳＵＳｎに０（Ｖ）から＋Ｖｅ（Ｖ）に向かって緩やかに上昇するランプ電圧を印加すると、維持放電を起こした放電セル１２において、走査電極ＳＣＮ１〜ＳＣＮｎ上の保護膜３と維持電極ＳＵＳ１〜ＳＵＳｎ上の保護膜３との間の電圧は、維持期間の最終時点における、走査電極ＳＣＮ１〜ＳＣＮｎ上の保護膜３表面の負電圧及び維持電極ＳＵＳ１〜ＳＵＳｎ上の保護膜３表面の正電圧がこのランプ電圧に加算されたものとなる。このため、維持放電を起こした放電セルにおいて、維持電極ＳＵＳ１〜ＳＵＳｎと走査電極ＳＣＮ１〜ＳＣＮｎとの間に微弱な消去放電が起こり、走査電極ＳＣＮ１〜ＳＣＮｎ上の保護膜３表面の負電圧と維持電極ＳＵＳ１〜ＳＵＳｎ上の保護膜３表面の正電圧が弱められて維持放電は停止する。以上により消去期間における消去動作が終了する。
【００２３】
ただし、以上の動作において、表示が行われない放電セルに関しては、初期化期間に初期化放電は起こるが、書き込み放電、維持放電及び消去放電は行われず、表示が行われない放電セルの走査電極ＳＣＮ１〜ＳＣＮｎと維持電極ＳＵＳ１〜ＳＵＳｎの保護膜３の表面の壁電圧、及びデータ電極Ｄ１〜Ｄｍ上の絶縁体層７の表面の壁電圧は、初期化期間の終了時の状態のまま保たれる。
【００２４】
【発明が解決しようとする課題】
このようなパネル構造、駆動方法を用いたプラズマディスプレイ装置においては、図１２（ａ）、（ｂ）に示すように、パネル温度が常温に比べて低温となったときに、走査パルス電圧０Ｖを印加し、データ電極に書き込みパルス電圧が加わってから放電が起こるまでの時間（以下、放電遅れと呼ぶ）、及び走査パルス電圧０Ｖを印加し、データ電極に書き込みパルス電圧が加わってから放電が起こるまでの時間のばらつき（以下、統計遅れと呼ぶ）が大きくなるために、走査パルスが０Ｖに保たれている時間（以下、書き込み周期と呼ぶ：ｔμｓ）内で放電を起こすことができず、書き込み不良を起こし不灯が発生するなどの問題があった。また、パネル温度が常温に比べて高温となったときには、放電遅れ、統計遅れが小さくなり、書き込み放電に対して書き込み周期が長くなり、その分の余剰駆動時間が発生してしまうという問題があった。
【００２５】
本発明はこのような課題を解決し、プラズマディスプレイ装置の表示品位を向上させることを目的とするものである。
【００２６】
【課題を解決するための手段】
上記目的を達成するために本発明のプラズマディスプレイ装置は、プラズマディスプレイパネルを表示駆動させるための表示駆動回路とを備え、その表示駆動回路にプラズマディスプレイパネルの温度を検出するパネル温度検出部を設け、かつそのパネル温度検出部からの温度情報に応じて書き込みパルスの周期を変化させるように構成したものである。
【００２７】
【発明の実施の形態】
すなわち、本発明の請求項１に記載の発明は、放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に前記プラズマディスプレイパネルの温度を検出するパネル温度検出部を設け、かつそのパネル温度検出部からの温度情報に応じて書き込みパルスの周期を変化させるように構成したものである。
【００２８】
また、請求項２に記載の発明は、放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に映像信号によってパネル温度の予測を行うことが可能な映像信号温度予測部を設け、かつその映像信号温度予測部からの温度情報に応じて書き込みパルスの周期を変化させるように構成したものである。
【００２９】
また、請求項３に記載の発明は、放電空間を形成して対向する一対の基板上に複数の電極を設けることにより構成された複数の放電セルを有するプラズマディスプレイパネルと、このプラズマディスプレイパネルに映像信号に応じて書き込みパルスを印加する書き込み期間とこの書き込みパルスが印加された放電セルに維持パルスを印加して放電を維持させる維持期間とからなるサブフィールドを複数設けて１フレームを構成しかつ前記プラズマディスプレイパネルを表示駆動させるための表示駆動回路とを備え、前記表示駆動回路に前記プラズマディスプレイパネルの温度を検出するパネル温度検出部と映像信号によってパネル温度の予測を行うことが可能な映像信号温度予測部とを設け、かつそのパネル温度検出部と映像信号温度予測部からの温度情報に応じて書き込みパルスの周期を変化させるように構成したものである。
【００３０】
さらに、請求項４に記載の発明は、請求項１〜３のいずれかにおいて、温度情報に応じて書き込みパルスの周期を１μｓ〜５μｓ変化させるように構成したものである。
【００３１】
また、請求項５に記載の発明は、請求項１〜３のいずれかにおいて、温度が２０℃〜３０℃の常温より下降した場合に書き込みパルスの周期を長くするように構成したものである。
【００３２】
また、請求項６に記載の発明は、請求項１〜３のいずれかにおいて、温度が２０℃〜３０℃の常温より上昇した場合に書き込みパルスの周期を短くするように構成したものである。
【００３３】
以下、本発明の一実施の形態によるプラズマディスプレイ装置について、図１〜図７を用いて説明するが、本発明の実施の態様はこれに限定されるものではない。なお、図１〜図７において、図８〜図１０に示す部分と同一部分については同一番号を付している。
【００３４】
（第１の実施の形態）
本発明の第１の実施の形態によるＡＣ型プラズマディスプレイ装置の表示駆動回路の構成図を図１に、駆動波形のタイミング図を図２、図３に示す。この表示駆動回路は、図１に示すように、図８に示す構成のプラズマディスプレイパネル（ＰＤＰ）１３、アドレスドライバ回路１４、スキャンドライバ回路１５、サステインドライバ回路１６、放電制御タイミング発生回路１７、電源回路１８、１９、Ａ／Ｄコンバータ（アナログ・デジタル変換器）２０、走査数変換部２１、及びサブフィールド変換部２２の他に、前記ＰＤＰ１３の温度を検出するパネル温度検出部２３を備えている。
【００３５】
この回路において、まず、映像信号ＶＤは、Ａ／Ｄコンバータ２０に入力される。また、水平同期信号Ｈ及び垂直同期信号Ｖは放電制御タイミング発生回路１７、Ａ／Ｄコンバータ２０、走査数変換部２１、サブフィールド変換部２２に与えられる。パネル温度検出部２３はパネル温度の変化に伴った温度信号を放電制御タイミング発生回路１７、アドレスドライバ回路１４、サブフィールド変換部２２に与える。Ａ／Ｄコンバータ２０は、映像信号ＶＤをデジタル信号に変換し、その画像データを走査数変換部２１に与える。
【００３６】
走査数変換部２１は、画像データをＰＤＰ１３の画素数に応じたライン数の画像データに変換し、各ラインの画像データをサブフィールド変換部２２に与える。サブフィールド変換部２２は、パネル温度検出部２３からの温度情報を元に各ラインの画像データの各画素データを複数のサブフィールドに対応する複数のビットに分割し、各サブフィールドに各画素データの各ビットをアドレスドライバ回路１４にシリアルに出力する。アドレスドライバ回路１４は、電源回路１８に接続されており、サブフィールド変換部２２から各サブフィールドにシリアルに与えられるデータをパラレルデータに変換し、そのパラレルデータとパネル温度変換部２３からの温度信号に基づいて複数のアドレス電極に電圧を供給する。
【００３７】
放電制御タイミング発生回路１７は、水平同期信号Ｈ及び垂直同期信号Ｖ、パネル温度検出部２３からの温度信号を基準として、放電制御タイミング信号ＳＣ、ＳＵを発生し、各々スキャンドライバ回路１５及びサステインドライバ回路１６に与える。スキャンドライバ回路１５は、出力回路１５１及びシフトレジスタ１５２を有する。また、サステインドライバ回路１６は、出力回路１６１及びシフトレジスタ１６２を有する。これらのスキャンドライバ回路１５及びサステインドライバ回路１６は共通の電源回路１９に接続されている。
【００３８】
スキャンドライバ回路１５のシフトレジスタ１５２は、放電制御タイミング発生回路１７から与えられる放電制御タイミング信号ＳＣを垂直走査方向にシフトしつつ出力回路１５１に与える。出力回路１５１は、シフトレジスタ１５２から与えられる放電制御タイミング信号ＳＣに応答して複数のスキャン電極に順に駆動信号電圧を供給する。
【００３９】
サステインドライバ回路１６のシフトレジスタ１６２は、放電制御タイミング発生回路１７から与えられる放電制御タイミング信号ＳＵを垂直走査方向にシフトしつつ出力回路１６１に与える。出力回路１６１は、シフトレジスタ１６２から与えられる放電制御タイミング信号ＳＵに応答して複数のサステイン電極に順に駆動信号電圧を供給する。
【００４０】
次に、前述のプラズマディスプレイ装置の駆動方法について図２、図３を用いて説明する。また、パネル温度の変化に対する書き込み周期の変化についての一例を図４に示す。
【００４１】
維持電極には従来の駆動波形を印加する。パネル温度が２０℃〜３０℃の常温状態である場合には、図１に示したパネル温度検出部２３からの温度信号が出力されないために、走査電極には従来の駆動波形が印加される。パネル温度が２０℃〜３０℃の常温に比べて低下すると、図１に示したパネル温度検出部２３からの温度信号によって図４に示すように、温度に伴って段階的に書き込み周期（ｔμｓ）が長くなる（図２参照）。このように書き込み周期が長くなることで、パネル温度が低温になった際の放電遅れや統計遅れの増加に対しても、正常な書き込みを行うことができるようになる。つまりパネル温度が低温時に発生していた書き込み不良を大幅に減少することで、表示品位を大幅に改善することができる。
【００４２】
一方でパネル温度が上昇すると、図１に示したパネル温度検出部２３からの温度信号によって図４に示すように、温度に伴って段階的に書き込み周期が短くなる（図３参照）。パネル温度が高い場合、放電遅れや統計遅れは小さくなるために、書き込み周期が短くても十分な書き込み放電を起こすことが可能であり、書き込み不良の発生頻度は増加しない。実際に書き込み周期が０．５μｓ短くなった場合、各サブフィールドの書き込み期間でパネルの垂直画素数に相当する回数の書き込みを行っており、垂直画素数４８０の場合、１フィールドにつき、
０．５μｓ×４８０ライン×８サブフィールド＝１９２０μｓ
の時間を短縮することが可能となる。この余った時間を利用し、維持放電パルス数を増やすことでの輝度アップや、サブフィールド数を増やすことでの動画画質の良化などの表示品位の大幅な改善を行うことが可能となる。
【００４３】
（第２の実施の形態）
次に、第２の実施の形態について説明する。図５に本実施の形態による表示駆動回路を示している。この表示駆動回路は、図５に示すように、図８に示す構成のプラズマディスプレイパネル（ＰＤＰ）１３、アドレスドライバ回路１４、スキャンドライバ回路１５、サステインドライバ回路１６、放電制御タイミング発生回路１７、電源回路１８、１９、Ａ／Ｄコンバータ（アナログ・デジタル変換器）２０、走査数変換部２１、及びサブフィールド変換部２２の他に、映像信号によってパネル温度の予測を行うことが可能な映像信号温度予測部２４を備えている。
【００４４】
この回路において、まず、映像信号ＶＤは、Ａ／Ｄコンバータ２０に入力される。また、水平同期信号Ｈ及び垂直同期信号Ｖは放電制御タイミング発生回路１７、Ａ／Ｄコンバータ２０、走査数変換部２１、サブフィールド変換部２２に与えられる。映像信号温度予測部２４はサブフィールド変換部２２からアドレスドライバ回路１４に出力される、各ラインの画像データの各画素データを与えられ、それをパネルの温度信号に変換し、放電制御タイミング発生回路１７、アドレスドライバ回路１４、サブフィールド変換部２２に与える。Ａ／Ｄコンバータ２０は、映像信号ＶＤをデジタル信号に変換し、その画像データを走査数変換部２１に与える。走査数変換部２１は、画像データをＰＤＰ１３の画素数に応じたライン数の画像データに変換し、各ラインの画像データをサブフィールド変換部２２に与える。サブフィールド変換部２２は、映像信号温度予測部２４からの温度情報を元に各ラインの画像データの各画素データを複数のサブフィールドに対応する複数のビットに分割し、各サブフィールドに各画素データの各ビットをアドレスドライバ回路１４にシリアルに出力する。アドレスドライバ回路１４は、電源回路１８に接続されており、サブフィールド変換部２２から各サブフィールドにシリアルに与えられるデータをパラレルデータに変換し、そのパラレルデータと映像信号温度予測部２４からの温度信号に基づいて複数のアドレス電極に電圧を供給する。
【００４５】
放電制御タイミング発生回路１７は、水平同期信号Ｈ及び垂直同期信号Ｖ、映像信号温度予測部２４からの温度信号を基準として、放電制御タイミング信号ＳＣ、ＳＵを発生し、各々スキャンドライバ回路１５及びサステインドライバ回路１６に与える。スキャンドライバ回路１５は、出力回路１５１及びシフトレジスタ１５２を有する。また、サステインドライバ回路１６は、出力回路１６１及びシフトレジスタ１６２を有する。これらのスキャンドライバ回路１５及びサステインドライバ回路１６は共通の電源回路１９に接続されている。
【００４６】
スキャンドライバ回路１５のシフトレジスタ１５２は、放電制御タイミング発生回路１７から与えられる放電制御タイミング信号ＳＣを垂直走査方向にシフトしつつ出力回路１５１に与える。出力回路１５１は、シフトレジスタ１５２から与えられる放電制御タイミング信号ＳＣに応答して複数のスキャン電極に順に駆動信号電圧を供給する。
【００４７】
サステインドライバ回路１６のシフトレジスタ１６２は、放電制御タイミング発生回路１７から与えられる放電制御タイミング信号ＳＵを垂直走査方向にシフトしつつ出力回路１６１に与える。出力回路１６１は、シフトレジスタ１６２から与えられる放電制御タイミング信号ＳＵに応答して複数のサステイン電極に順に駆動信号電圧を供給する。
【００４８】
次に、前述のプラズマディスプレイ装置の駆動方法について、図３を用いて説明する。また、映像信号の平均輝度及び点灯率から予測されるパネル温度の変化に対する書き込み周期の変化についての一例を図６に示す。
【００４９】
維持電極には従来の駆動波形を印加する。映像信号の平均輝度及び点灯率が低い場合には、パネルの発光による温度上昇がなく、図５に示した映像信号温度予測部２４からの温度信号が出力されないために、走査電極には従来の駆動波形が印加される。映像信号が平均輝度及び点灯率の高い場合には、パネルの発光による温度上昇を、図５に示した映像信号温度予測部２４によって予測し、図６に示すように、温度に伴って段階的に書き込み周期が短くなる（図３参照）。パネル温度が高い場合、放電遅れや統計遅れは小さくなるために、書き込み周期が短くても十分な書き込み放電を起こすことが可能であり、書き込み不良の発生頻度は増加しない。実際に書き込み周期が０．５μｓ短くなった場合、各サブフィールドの書き込み期間でパネルの垂直画素数に相当する回数の書き込みを行っており、垂直画素数４８０の場合、１フィールドにつき
０．５μｓ×４８０ライン×８サブフィールド＝１９２０μｓ
の時間を短縮することが可能となる。この余った時間を利用し、維持放電パルス数を増やすことでの輝度アップや、サブフィールド数を増やすことでの動画画質の良化などの表示品位の大幅な改善を行うことが可能となる。
【００５０】
温度信号を実際のパネル温度によって検出するのではなく、映像信号をサブフィールド変換されたものを元に、平均輝度や点灯率などから検出するという方法を用いることで、直接的なパネル温度の測定が不必要であることから、第１の実施の形態に比べて比較的容易に従来の表示駆動回路に組み込むことが可能であるという特長がある。
【００５１】
また、図７に示すように、パネル温度検出部２３との併用も可能であり、このような場合はパネル温度検出部２３と映像信号温度予測部２４との相関によって、パネル温度の上昇及び低下に対して、より緻密な制御を行うことが可能となる。
【００５２】
【発明の効果】
以上の説明から明らかなように、本発明にかかるプラズマディスプレイ装置によれば、パネル温度検出部及び映像信号によってパネル温度の予測を行うことが可能な検出部を備えることで、パネル温度を検知し、それに伴い書き込み周期を変化させ、パネルの表示品位を向上させることができる。パネル温度が常温から低下した場合には書き込み周期を長くすることで、パネル温度が低温時に発生する放電遅れ、統計遅れの増加に起因する書き込み不良を大幅に改善することが可能である。また、パネル温度が常温から上昇した場合には、放電遅れ、統計遅れが減少するために、書き込み周期を短くしても書き込み不良が発生しなくなる。書き込み周期を短くすることで余った時間は、維持放電パルス数の増加に充てることでのパネルの輝度アップやサブフィールド数の増加に充てることでの動画画質の良化などに使うことが可能となる。
【図面の簡単な説明】
【図１】本発明の第１の実施の形態によるプラズマディスプレイ装置の表示駆動回路の一例を示すブロック回路図
【図２】同プラズマディスプレイ装置の駆動タイミング図
【図３】同プラズマディスプレイ装置の駆動タイミング図
【図４】同プラズマディスプレイ装置において、パネル温度に対する書き込み周期の変化の一例を示す図
【図５】本発明の第２の実施の形態によるプラズマディスプレイ装置の表示駆動回路の一例を示すブロック回路図
【図６】同プラズマディスプレイ装置において、映像信号によって予測されるパネル温度に対する書き込み周期の変化の一例を示す図
【図７】本発明の他の実施の形態によるプラズマディスプレイ装置の表示駆動回路の一例を示すブロック回路図
【図８】プラズマディスプレイ装置のパネル構成を示す斜視図
【図９】プラズマディスプレイ装置のパネルの電極配列を示す説明図
【図１０】従来のプラズマディスプレイ装置の表示駆動回路の一例を示すブロック回路図
【図１１】従来のプラズマディスプレイ装置の駆動動作タイミング図
【図１２】（ａ）、（ｂ）は従来のプラズマディスプレイ装置の温度に対する放電遅れと統計遅れの一例を示す図
【符号の説明】
１３　プラズマディスプレイパネル
１４　アドレスドライバ回路
１５　スキャンドライバ回路
１６　サステインドライバ回路
１７　放電制御タイミング発生回路
２２　サブフィールド変換部
２３　パネル温度検出部
２４　映像信号温度予測部
【図１】
2004061702.tif 000003
【図２】
2004061702.tif 000004
【図３】
2004061702.tif 000005
【図４】
2004061702.tif 000006
【図５】
2004061702.tif 000007
【図６】
2004061702.tif 000008
【図７】
2004061702.tif 000009
【図８】
2004061702.tif 000010
【図９】
2004061702.tif 000011
【図１０】
2004061702.tif 000012
【図１１】
2004061702.tif 000013
【図１２】
2004061702.tif 000014